【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】
物体側から順に、負の屈折力を有する第１レンズ群と、正の屈折力を有する第２レンズ群とを少なくとも有し、広角端から望遠端への変倍に際し、前記第１レンズ群と前記第２レンズ群との間隔が減少し且つ前記第２レンズ群と像面との間隔が増大するように、前記第１レンズ群及び前記第２レンズ群がそれぞれ移動し、
前記第１レンズ群及び前記第２レンズ群は、いずれかのレンズ面に回折光学面を有し、いずれかのレンズを光軸とほぼ直交する方向に変位させて防振する防振レンズ群とし、
広角端におけるレンズ系全体の焦点距離をｆｗ、前記防振レンズ群の最大変位量をΔとしたとき、次式
Δ／｜ｆｗ｜＜０．２
の条件を満足することを特徴とする防振機能を備えたズームレンズ。
【請求項２】
前記回折光学面の有効径（直径）をＣとしたとき、次式
０．２＜Ｃ／ｆｗ＜５．０
の条件を満足することを特徴とする請求項１記載の防振機能を備えたズームレンズ。
【請求項３】
防振時に移動させる前記第１レンズ群及び前記第２レンズ群中のいずれかのレンズを防振レンズ群とし、この防振レンズ群において最も物体側のレンズ面の有効径（直径）をφｖとしたとき、次式
０．００５＜Δ／φｖ＜０．２
の条件を満足することを特徴とする請求項１または２に記載の防振機能を備えたズームレンズ。
【請求項４】
前記回折光学面を有する面の曲率半径をｒａとしたとき、次式
０．０≦｜ｆｗ／ｒａ｜＜１．０
の条件を満足することを特徴とする請求項１〜３のいずれかに記載の防振機能を備えたズームレンズ。
【請求項５】
前記防振レンズ群は、前記第２レンズ群中の正屈折力を有するレンズ成分であることを特徴とする請求項１〜４のいずれかに記載の防振機能を備えたズームレンズ。
【請求項６】
前記第２レンズ群の像側に第３レンズ群を有し、前記第３レンズ群の焦点距離をｆ３としたとき、次式
１．０＜ｆ３／ｆｗ＜５．０
の条件を満足することを特徴とする請求項１〜５のいずれかに記載の防振機能を備えたズームレンズ。
【請求項７】
前記第１レンズ群は、最も物体側に負メニスカスレンズを有し、物体側の面の曲率半径をｒ１、像側の面の曲率半径をｒ２としたとき、次式
１．０＜（ｒ１＋ｒ２）／（ｒ１−ｒ２）＜５．０
の条件を満足することを特徴とする請求項１〜６のいずれかに記載の防振機能を備えたズームレンズ。
【請求項８】
前記第２レンズ群は、少なくとも１組の貼り合わせレンズを有し、最も物体側の貼り合わせレンズは凸レンズと凹レンズで構成され、前記凸レンズと前記凹レンズとの屈折率の差をΔＮとしたとき、次式
０．０３＜ΔＮ
の条件を満足することを特徴とする請求項１〜７のいずれかに記載の防振機能を備えたズームレンズ。
【請求項９】
前記防振レンズ群のペッツバール和をＰとしたとき、次式
０．００２＜｜Ｐ｜／ｆｗ＜０．１
の条件を満足することを特徴とする請求項１〜８のいずれかに記載の防振機能を備えたズームレンズ。
【請求項１０】
前記第２レンズ群は、少なくとも１組の貼り合わせレンズを有し、前記貼り合わせレンズが前記防振レンズ群であることを特徴とする請求項１〜９のいずれかに記載の防振機能を備えたズームレンズ。
【請求項１１】
前記防振レンズ群は、単レンズであることを特徴とする請求項１〜９のいずれかに記載の防振機能を備えたズームレンズ。
【請求項１２】
前記第３レンズ群が防振レンズ群であることを特徴とする請求項６〜１１のいずれかに記載の防振機能を備えたズームレンズ。
【請求項１３】
前記第１レンズ群は、物体側から順に、凹メニスカスレンズ、凸レンズを有することを特徴とする請求項１〜１２のいずれかに記載の防振機能を備えたズームレンズ。
【請求項１４】
前記第２レンズ群は、３枚以下のレンズで構成されていることを特徴とする請求項１〜１３のいずれかに記載の防振機能を備えたズームレンズ。
【請求項１５】
前記第３レンズ群は、２枚以下のレンズで構成されていることを特徴とする請求項１〜１４のいずれかに記載の防振機能を備えたズームレンズ。
【請求項１６】
前記回折光学面は、空気と接するレンズ面上に形成されることを特徴とする請求項１〜１５のいずれかに記載の防振機能を備えたズームレンズ。
【請求項１７】
前記回折光学面は、前記第２レンズ群の最も物体側の面を除いた面に形成されていることを特徴とする請求項１〜１６のいずれかに記載の防振機能を備えたズームレンズ。
【請求項１８】
前記回折光学面は、アッベ数が６５以下の光学ガラスレンズのレンズ面上に形成されることを特徴とする請求項１〜１７のいずれかに記載の防振機能を備えたズームレンズ。
【請求項１９】
前記回折光学面は、光軸に対して回転対称な構造であることを特徴とする請求項１〜１８のいずれかに記載の防振機能を備えたズームレンズ。
【請求項２０】
前記回折光学面は、ガラスモールドで形成されていることを特徴とする請求項１〜１９のいずれかに記載の防振機能を備えたズームレンズ。
【請求項２１】
前記回折光学面は、レンズ表面に薄い樹脂層を形成し、この樹脂層に回折格子構造を設けたものであることを特徴とする請求項１〜１９のいずれかに記載の防振機能を備えたズームレンズ。
【請求項２２】
前記回折光学面は、複数の回折格子構造を重ねた複層構造であることを特徴とする請求項１〜２１のいずれかに記載の防振機能を備えたズームレンズ。
【手続補正２】
【補正対象書類名】明細書
【補正対象項目名】０００７
【補正方法】変更
【補正の内容】
【０００７】
【課題を解決するための手段】
上記問題を解決するために、本発明の防振機能を備えたズームレンズは、物体側から順に、負の屈折力を有する第１レンズ群と、正の屈折力を有する第２レンズ群とを少なくとも有し、広角端から望遠端への変倍に際し、前記第１レンズ群と前記第２レンズ群との間隔が減少し且つ前記第２レンズ群と像面との間隔が増大するように、前記第１レンズ群及び前記第２レンズ群がそれぞれ移動し、前記第１レンズ群及び前記第２レンズ群は、いずれかのレンズ面に回折光学面を有し、いずれかのレンズを光軸とほぼ直交する方向に変位させて防振する防振レンズ群とし、広角端におけるレンズ系全体の焦点距離をｆｗ、前記防振レンズ群の最大変位量をΔとしたとき、式  Δ／｜ｆｗ｜＜０．２  の条件を満足することを特徴とする。
【手続補正３】
【補正対象書類名】明細書
【補正対象項目名】０００８
【補正方法】変更
【補正の内容】
【０００８】
なお、前記回折光学面の有効径（直径）をＣとしたとき、次式０．２＜Ｃ／ｆ
ｗ＜５．０の条件を満足する構成であることが好ましい。
また、本発明に係る防振機能を備えたズームレンズにおいて、防振時に移動させる前
記第１レンズ群及び前記第２レンズ群中のいずれかのレンズを防振レンズ群とし、この防振レンズ群において最も物体側のレンズ面の有効径（直径）をφｖとしたとき、式  ０．００５＜Δ／φｖ＜０．２  の条件を満足する構成であることが好ましい。
さらに、前記回折光学面を有する面の曲率半径をｒａとしたとき、式．０≦｜ｆｗ／ｒａ｜＜１．０条件を満足する構成であることが好ましい。
さらに、前記防振レンズ群は、前記第２レンズ群中の正屈折力を有するレンズ成分であることが好ましい。
【手続補正４】
【補正対象書類名】明細書
【補正対象項目名】０００９
【補正方法】変更
【補正の内容】
【０００９】
さらに、前記第１レンズ群は、最も物体側に負メニスカスレンズを有し、物体側の面の曲率半径をｒ１、像側の面の曲率半径をｒ２としたとき、式  １．０＜（ｒ１＋ｒ２）／（ｒ１−ｒ２）＜５．０  の条件を満足する構成であることが好ましい。
さらに、前記第２レンズ群は、少なくとも１組の貼り合わせレンズを有し、最も物体側の貼り合わせレンズは凸レンズと凹レンズで構成され、前記凸レンズと前記凹レンズとの屈折率の差をΔＮとしたとき、式  ０．０３＜ΔＮ  の条件を満足する構成であることが好ましい。
さらに、前記防振レンズ群のペッツバール和をＰとしたとき、式  ０．００２＜｜Ｐ｜／ｆｗ＜０．１  の条件を満足する構成であることが好ましい。
さらに、前記第２レンズ群は、少なくとも１組の貼り合わせレンズを有し、前記貼り合わせレンズが前記防振レンズ群であるのが好ましい。
【手続補正５】
【補正対象書類名】明細書
【補正対象項目名】００１０
【補正方法】変更
【補正の内容】
【００１０】
さらに、前記防振レンズ群は、単レンズであるのが好ましい。
さらに、前記第３レンズ群が防振レンズ群であるのが好ましい。
さらに、前記第１レンズ群は、物体側から順に、凹メニスカスレンズ、凸レンズを有する構成であることが好ましい。
さらに、前記第２レンズ群は、３枚以下のレンズで構成されているのが好ましい。
さらに、前記第３レンズ群は、２枚以下のレンズで構成されているのが好ましい。
【手続補正６】
【補正対象書類名】明細書
【補正対象項目名】００１１
【補正方法】変更
【補正の内容】
【００１１】
さらに、前記回折光学面は、空気と接するレンズ面上に形成されるのが好ましい。
さらに、前記回折光学面は、前記第２レンズ群の最も物体側の面を除いた面に形成されているのが好ましい。
さらに、前記回折光学面は、アッベ数が６５以下の光学ガラスレンズのレンズ面上に形成されるのが好ましい。
さらに、前記回折光学面は、光軸に対して回転対称な構造であるのが好ましい。
さらに、前記回折光学面は、ガラスモールドで形成されているのが好ましい。
さらに、前記回折光学面は、レンズ表面に薄い樹脂層を形成し、この樹脂層に回折格子構造を設けたものであるのが好ましい。
さらに、前記回折光学面は、複数の回折格子構造を重ねた複層構造であるのが好ましい。